(57)【要約】【課題】  設置が極めて容易であり、長期的な使用においても故障する虞が少ない水位報知器１を提供する。【解決手段】  水位報知器１は、２重床構造のバルコニー３に設置される水位報知器１であって、下部が防水床４と仕上床２との間に固定されて防水床４上に貯留した水を内部に流入可能な受入孔１２を備えるとともに、上部が仕上床２の上に突出する筒状の本体５と、本体５の内部に上下方向にスライド自在に収納され、水に浮揚する浮力体６と、を備え、本体５は仕上床２の上に突出する上部に、その内部収納された浮力体６の一部を視認可能に露出させる透明、半透明、又は開口した報知部１１を有しており、浮力体６はその上下方向のスライドにより、報知部６を通して視認される態様を変化させることにより、防水床４に貯留する排水の水位を報知する。【選択図】図４
2011043020.tif 000002
【特許請求の範囲】
【請求項１】
貯留した水を外部に排出する排水口が設けられた防水床と、該防水床上に配置された仕上床と、により構成される２重床構造のバルコニーに設置される水位報知器であって、
下部が前記防水床と前記仕上床との間に固定されて前記防水床上に貯留した水を内部に流入可能な受入孔を備えるとともに、上部が前記仕上床の上に突出する筒状の本体と、
該本体の内部に上下方向にスライド自在に収納され、水に浮揚する浮力体と、を備え、
前記本体は前記仕上床の上に突出する上部に、その内部に収納された浮力体の一部を視認可能に露出させる透明、半透明、又は開口した報知部を有しており、
前記浮力体はその上下方向のスライドにより、前記報知部を通して視認される態様を変化させることにより、前記防水床に貯留する排水の水位を報知することを特徴とする水位報知器。
【請求項２】
前記バルコニーは、前記排水口よりも上方で前記防水床に貯留した水の流入を受け入れるオーバーフロー口を更に備えるものであって、
前記浮力体は、少なくともその表面に、前記防水床に水が溜まっていない状態を示す第１態様と、前記オーバーフロー口の下端の水位を示す第２態様と、前記オーバーフロー口の下端よりも高い水位を示す第３態様と、を上から順に表わしていることを特徴とする請求項１に記載の水位報知器。
【請求項３】
前記浮力体は円柱状又は多角柱状であることを特徴とする請求項１又は請求項２に記載の水位報知器。
【請求項４】
前記受入孔は、前記本体下部に上下方向に複数設けられることを特徴とする請求項１から請求項３のいずれかに記載の水位報知器。
【請求項５】
前記本体の上部は、前記報知部の上に可視光を透過しない目隠し部を有することを特徴とする請求項１から請求項４のいずれかに記載の水位報知器。
【発明の詳細な説明】
【技術分野】
【０００１】
この発明は、２重床構造に形成されたバルコニーにおける防水床に溜まった排水の水位を報知する水位報知器に関する。
【背景技術】
【０００２】
従来より、例えばフルフラットバルコニーのように、水を外部に排出する排水口を下流に設けて傾斜させた防水床と、この防水床の上に設置された仕上床と、により構成される２重床構造のバルコニーがある。雨などによってバルコニー内に侵入した水は、仕上床の間隙から防水床上に流れ落ち、防水床上を流れて排水口に集められ外部に排出される。しかし、このようなバルコニーは、排水口が設置された防水床の上に仕上床が設置されているため、排水口のストレーナにゴミが溜まって排水口が目詰まりを起こしても、外部から視認することができない。そして、排水口が詰まって排水できない状態でそのまま放置すると、防水床上に水が溜まり、仕上床上に溢れ出て、居室内に水が流入する虞がある。
【０００３】
そこで、排水口よりも上方であって、バルコニー床面の最高部よりも下に浸水検知センサを設置して、バルコニー内に水が貯留すると、警報音又は警報光が、発生するバルコニー浸水警報装置が提案されている（特許文献１参照）。これによると、排水口にゴミ等が溜まって防水床上に水が溜まった場合に警報音又は警報光で報知するので、直接防水床を目視することなく、排水口の目詰まりに起因するバルコニーの浸水発生を早期に発見することができる。
【先行技術文献】
【特許文献】
【０００４】
【特許文献１】特開２００６−３４８６０８号公報
【発明の概要】
【発明が解決しようとする課題】
【０００５】
しかし、上述のバルコニー浸水警報装置は、浸水検知センサと警報音や警報光を発生させる警報器とを電気的に接続するものであるので、これらの間及び電源と警報器との間に配線が必要であり、設置するために工事が必要である。また、排水流路上に設置される電気製品であるため、長期的には故障する虞が高い。
【０００６】
そこで、本発明は設置が極めて容易であり、長期的な使用においても故障する虞が少ない水位報知器を提供することを目的とする。
【課題を解決するための手段】
【０００７】
請求項１に記載の水位報知器は、貯留した水を外部に排出する排水口が設けられた防水床と、該防水床上に配置された仕上床と、により構成される２重床構造のバルコニーに設置される水位報知器であって、下部が前記防水床と前記仕上床との間に固定されて前記防水床上に貯留した水を内部に流入可能な受入孔を備えるとともに、上部が前記仕上床の上に突出する筒状の本体と、該本体の内部に上下方向にスライド自在に収納され、水に浮揚する浮力体と、を備え、前記本体は前記仕上床の上に突出する上部に、その内部に収納された浮力体の一部を視認可能に露出させる透明、半透明、又は開口した報知部を有しており、前記浮力体はその上下方向のスライドにより、前記報知部を通して視認される態様を変化させることにより、前記防水床に貯留する排水の水位を報知することを特徴としている。
【０００８】
請求項２に記載の水位報知器は、前記バルコニーは、前記排水口よりも上方で前記防水床に貯留した水の流入を受け入れるオーバーフロー口を更に備えるものであって、前記浮力体は、少なくともその表面に、前記防水床に水が溜まっていない状態を示す第１態様と、前記オーバーフロー口の下端の水位を示す第２態様と、前記オーバーフロー口の下端よりも高い水位を示す第３態様と、を上から順に表わしていることを特徴としている。
【０００９】
なお、ここで「第１態様」、「第２態様」、及び「第３態様」はそれぞれ、浮力体の表面を塗料などでそれぞれ異なる色に着色し、又は、文字若しくは模様を記すことで、それぞれ異なる態様としたものや浮力体の表面形状をそれぞれ変化させて異なる態様としたものを含み、外部から見たときに変化を認識できる程度に互いに異なる態様をいう。
【００１０】
請求項３に記載の水位報知器は、前記浮力体は円柱状又は多角柱状であることを特徴としている。
【００１１】
請求項４に記載の水位報知器は、前記受入孔は、前記本体下部に上下方向に複数設けられたことを特徴としている。
【００１２】
請求項５に記載の水位報知器は、前記本体の上部は、前記報知部の上に可視光を透過しない目隠し部を有することを特徴としている。
【００１３】
なお、ここで「可視光を透過しない目隠し部」とは、報知部に比べて可視光の透過率が低く、少なくとも本体の外部から内部に収納されている浮力体の色彩又は模様が判別できないものをいう。
【発明の効果】
【００１４】
請求項１に記載の水位報知器によると、排水口が目詰まりを起こして防水床上に水が貯留された場合に、本体の下部に形成された受入孔から本体内部に水が流入し、本体内部に上下方向にスライド自在に収納されている浮力体を上方に浮かせて、浮力体の側面に表示されている態様の内、報知部を介して外部に視認可能な部分の態様を変化させることにより、外部に水位を報知することができる。このように、筒状の本体内部の浮力体を貯留した水の浮力によって、上方にスライドさせる極めて単純な構成で、防水床上に貯留した水の水位を外部に報知することができるものであるので、設置が極めて容易であり、故障する虞も少ない。
【００１５】
請求項２に記載の水位報知器によると、浮力体の表面には、防水床に水が溜まっていない状態を示す第１態様と、オーバーフロー口の下端の水位を示す第２態様と、オーバーフロー口の下端よりも高い水位を示す第３態様と、を上から順に示しているので、報知部に第１態様が表示されるときは、防水床に水が溜まっておらず排水口が正常に機能していることを認識することができ、報知部に第２態様が表示されているときには、排水口が目詰まりを起こして正常に機能しておらず、オーバーフロー口に排水が流入していることを認識することができ、更に報知部に第３態様が表示されているときには、オーバーフロー口も正常に機能しておらず、水が仕上床に溢れ出る虞があることを認識することができる。
【００１６】
請求項３に記載の水位報知器によると、浮力体は円柱状又は多角柱状であるので、上下方向にスライドさせたときに引っ掛かる部分がなく、確実にバルコニーの防水床に貯留した水の水位を報知することができる。
【００１７】
請求項４に記載の水位報知器によると、本体の下部に形成されバルコニーの防水床上に貯留した水を受け入れる受入孔は、上下方向に複数列設されているので、例えば、下端に配置された受入孔がゴミなどで目詰まりしても、その受入孔よりも上に設けられた受入孔から水を受け入れることができるので、確実にバルコニーの防水床に貯留した水の水位を報知することができる。
【００１８】
請求項５に記載の水位報知器によると、本体上部は、報知部の上に可視光を透過しない目隠し部を有しているので、浮力体の上部が報知部の上に見えることがなく、報知したい部分のみを表示することができる。
【図面の簡単な説明】
【００１９】
【図１】水位報知器を設置したバルコニーを説明する一部省略断面図。
【図２】水位報知器の本体を説明する省略斜視図。
【図３】水位報知器の浮力体を説明する省略斜視図。
【図４】排水口が正常に機能しているときのバルコニー及び水位報知器の状態を説明する省略断面図。
【図５】排水口が目詰まりを起こして、排水が防水床に貯留し始めた状態を説明する省略断面図。
【図６】排水がオーバーフロー口の水位まで貯留した状態を説明する省略断面図。
【図７】オーバーフロー口までも目詰まりを起こして、排水がホーバーフロー口を超えて貯留された状態を説明する省略断面図。
【図８】円筒状の本体を有する他の実施形態の水位報知器を説明する斜視図。
【発明を実施するための形態】
【００２０】
以下、この発明における水位報知器１の実施形態について、各図を参照しつつ説明する。水位報知器１は、図１に示すように、住宅等の居室内Ｒの床面Ｆとバルコニー３の仕上床２の面がほぼ同一平面上に形成されてバリアフリーを形成するフルフラットバルコニーにおける仕上床２の下に形成される防水床４上に貯留する水の水位を報知するものであって、立設する筒状の本体５と、この本体５の内部に上下方向にスライド自在に収納された浮力体６とから成る。
【００２１】
本体５は、図２に示すように、防水床４の下流側に形成された排水溝７から上方に向けて立設された例えば全長３１０ｍｍ程度の直方体の筒状であり、上部が仕上床２よりも上に突出するように縦長なものである。この本体５の上端には、内部にゴミの侵入を防止する蓋体８が取り付けられており、上端近傍の側面には、本体５内部の空気を逃がす通気孔９が設けられている。仕上床２から上に突出している本体５の上部は上端から例えば１００ｍｍ程度までが内部を透過できない樹脂製の目隠し部１０を形成するとともに、本体５の目隠し部１０よりも下方は透明なアクリル樹脂で構成されている。そして、このアクリル樹脂で形成された部分のうち、仕上床２よりも上に突出しており、且つ、目隠し部１０よりも下の部分が、外部から内部を視認することができる報知部１１を形成している。
【００２２】
なお、目隠し部１０と報知部１１とを例えばアクリル樹脂のような同一の材料で構成し、目隠し部１０の部分に可視光の透過率が低いフィルム等を貼り付ける構成であってもよい。また、本実施形態において報知部１１は、透明なアクリル樹脂で形成されることにより、外部から内部を視認可能であるが、少なくとも本体５内部に収納された浮力体６の表面に付された色彩や模様などの態様を視認可能な程に、可視光を透過する構成であればよく、透明のものの他、半透明、又は開口しているものであっても良い。
【００２３】
本体５は、その側面がバルコニー３の壁面１３に例えば両面テープにより固定されて設置されている。このように鉛直に立設するバルコニー３の壁面１３に固定されることで、傾斜している防水床４に固定する場合に比べて、本体５を鉛直に設置しやすい利点があるが、本体５の設置位置はこれに限定されるものではなく、防水床４や排水溝７に直接載置するものや排水口１４のストレーナ１５に嵌着するものであっても良い。
【００２４】
また、この仕上床２よりも下に位置する本体５の下部の下端は４隅がそれぞれやや突出して脚部１６が設けられており、この脚部１６が防水床４面に接地して、防水床４との間に貯留した水を受け入れる下端受入孔１２ａが設けられている。また、この本体５の下部には、更に水が排水溝７及び防水床４上に貯留した場合に、この排水の本体５内部への流入を受け入れる受入孔１２が上下方向に３つ並んで形成されている。このように下端受入孔１２ａの上に更に受入孔１２が上下方向に並んで形成されていることで、仮に下端受入孔１２ａにゴミなどが詰まった場合でも、その上に形成された受入孔１２から貯留された水を受け入れることができ、確実に排水溝７及び防水床４の水位を報知することができる。
【００２５】
本体５の内部に収納された浮力体６は、例えば発泡スチロール等の水よりも比重の小さな材料でを形成して成り、本体５の内部空間よりもやや小さな直方体に形成されている。この浮力体６は例えば高さ２１０ｍｍ程度であって、図３に示すように、その表面に上から順に、６０ｍｍ程度が青色に着色された第１態様表示部１７、５０ｍｍ程度が黄色に着色された第２態様表示部１８、６０ｍｍ程度が赤色に着色された第３態様表示部１９が形成されている。
【００２６】
排水口１４が目詰まりすることなく正常に排水しているときには、バルコニー３内に侵入した雨水などの排水は、仕上床２の間隙から防水床４及び排水溝７を流下し、そのまま排水口１４から外部に排出されるので、排水が防水床４の上に貯留されることがない。したがって、図４に示すように、浮力体６が浮力を受けることがなく、浮力体６は、本体５の最下部で防水床４に設置された排水溝７に接地している。このとき、本体５の報知部１１の内側には浮力体６の青色の第１態様表示部１７が位置しており、例えばバルコニー３の上や居室内Ｒから見ると、本体５の内部が可視可能な範囲αである報知部１１には青色が表示されていると視認できる。
【００２７】
そして、ゴミなどが排水口１４に溜まって目詰まりを起こすと、排水が排水口１４を通って外部に排出されることができず、図５に示すように排水溝７に貯留し始めるので、浮力体６が貯留した水により浮力を受けて浮き上がり始める。このとき、報知部１１の内側には青色の第１態様表示部１７と黄色の第２態様表示部１８との境界が位置することになり、バルコニー３の上や居室内Ｒから見ると、報知部１１の上部が青色に下部が黄色に表示されていると視認できる。
【００２８】
更に、排水が防水床４上に貯留すると、図６に示すように、貯留した水の水位がオーバーフロー口２０に達し、オーバーフロー口２０からの排水の排出が開始される。このとき、報知部１１の内側には浮力体６の黄色の第２態様表示部１８が位置することになり、バルコニー３の上や居室内Ｒから見ると、報知部１１の全面に黄色が表示されていると視認できる。
【００２９】
そして、このオーバーフロー口２０までもゴミなどにより詰まると、図７に示すように、更に水位が上昇し、排水が仕上床２の直ぐ下にまで達する。このとき、浮力体６は、貯留した排水により、その上端が本体５の上端に当接するまで上昇し、報知部１１の内側には浮力体６の赤色の第３態様表示部１９が位置することになり、バルコニー３の上や居室内Ｒから見ると、報知部１１の全面に赤色が表示されていると視認できる。
【００３０】
以上のように、バルコニー３の排水口１４が正常に機能している場合には、報知部１１に青色を表示し、バルコニー３の排水口１４が目詰まりなどにより貯留された水を外部に配。すできなくなると、報知部１１に黄色を表示し、更にオーバーフロー口２０までもが、目詰まりなどにより排水を排出できない場合には、報知部１１に赤色を表示するので、バルコニー３の上や居室内Ｒにいる住宅の居住者に対して、バルコニー３の排水口１４やオーバーフロー口２０の異常を報知することができる。
【００３１】
なお、本発明の実施形態はこれに限定されるものではない。例えば図８に示すように、本体５が円筒状に形成された他の実施形態の水位報知器１を用いることもできる。この水位報知器１は、円筒状に形成され、下端に貯留した水の流入を受け入れる受入孔１２を設けるとともに、この下端がフランジ状に広がって形成された本体５と、この本体５の内部を上下方向にスライド自在な球状の浮き部材２１及び下端がこの浮き部２１に接着された円筒状の表示部材２２から構成される浮力体６と、からなる。
【００３２】
円筒状の本体５は、全長が例えば３１０ｍｍ程度であって、上端から例えば１００ｍｍ程度までは、外部から内部を視認できない目隠し部１０を形成している。そして、浮き部材２１は、例えばピンポン球のように、球状に形成された樹脂の内部に空気などの気体を封入したものである。そして、この浮き部材２１の上部に円筒状の表示部材２２を耐水性の接着剤で接着している。
【００３３】
このように構成された水位報知器１は、本体５のフランジ部分を防水床４に設けられた排水溝７上に載置して簡単に設置することができる。
【００３４】
なお、本発明の実施の形態は上述の形態に限ることなく、本発明の思想の範囲を逸脱しない範囲で適宜変更することができることは云うまでもない。
【００３５】
本実施形態においては、第１態様表示部１７、第２態様表示部１８、及び第３態様表示部１９として、浮力体６の側表面を青色、黄色、赤色に着色したが、各態様表示部１７、１８、１９は、他の色に着色されるものであってもよく、また、例えば、「正常」「排水口目詰まり」「オーバフロー口目詰まり」等の文字をそれぞれの態様表示部１７、１８、１９に記したものや、「○」「△」「×」等の記号や模様を記したものであっても良い。
【産業上の利用可能性】
【００３６】
本発明に係る水位報知器１は、例えばフルフラットバルコニー３のような防水床４上に所定の高さを開けて仕上床２を設置する２重床構造のバルコニー３において、好適に用いることができる。
【符号の説明】
【００３７】
１      水位報知器
２      仕上床
４      防水床
５      本体
６      浮力体
１０    目隠し部
１１    報知部
１７    第１態様表示部（第１態様）
１８    第２態様表示部（第２態様）
１９    第３態様表示部（第３態様）
【図１】
2011043020.tif 000003
【図２】
2011043020.tif 000004
【図３】
2011043020.tif 000005
【図４】
2011043020.tif 000006
【図５】
2011043020.tif 000007
【図６】
2011043020.tif 000008
【図７】
2011043020.tif 000009
【図８】
2011043020.tif 000010